Podtech/llm-jp-corpus-v4-ja_patent huggingface dataset:
【誤訳訂正書】
【提出日】平成28年9月21日(2016.9.21)
【誤訳訂正１】
【訂正対象書類名】特許請求の範囲
【訂正対象項目名】全文
【訂正方法】変更
【訂正の内容】
【特許請求の範囲】
【請求項１】
磁気共鳴画像（Ｍａｇｎｅｔｉｃ  Ｒｅｓｏｎａｎｃｅ  Ｉｍａｇｉｎｇ、ＭＲＩ）システムを用いて画像を得る方法であって、
励起ＲＦパルスを印加する段階；
前記励起ＲＦパルスの印加後に続く複数の異なるエコー時間に２５６個のＭＲＩ画像を得る段階；及び
前記２５６個のＭＲＩ画像に対して、画像獲得の順序とは逆順でカーブフィッティングを行う段階を含むＭＲＩ画像を得る方法。
【請求項２】
前記２５６個のＭＲＩ画像を得る期間中、正弦波形の読取り傾斜が印加される請求項１に記載のＭＲＩ画像を得る方法。
【請求項３】
前記２５６個のＭＲＩ画像を得る期間中に、台形波形の読取り傾斜が印加される請求項１に記載のＭＲＩ画像を得る方法。
【請求項４】
前記２５６個のＭＲＩ画像を得る間、データ収集シグナルのためのアナログデジタル・コンバーターが、オン（ＯＮ）の状態を維持する請求項１に記載のＭＲＩ画像を得る方法。
【請求項５】
磁気共鳴画像システムを用いて画像を得る方法であって、
励起ＲＦパルスを印加する段階；
前記励起ＲＦパルス印加後に続く複数の異なるエコー時間に２５６個のＭＲＩ画像を得る段階であって、前記２５６個のＭＲＩ画像を得る間、連続的な読み取り傾斜が印加される段階；及び
前記２５６個のＭＲＩ画像を得た後、前記２５６個のＭＲＩ画像に対して、画像獲得の順序とは逆順でカーブフィッティングを行う段階を含む、ＭＲＩ画像を得る方法。
【請求項６】
前記連続的な読み取り傾斜が、正弦波形である請求項５に記載のＭＲＩ画像を得る方法。
【請求項７】
磁気共鳴画像システムを用いて画像を得る方法であって、
励起ＲＦパルスを印加する段階；
前記励起ＲＦパルスの印加に続く複数の異なるエコー時間に２５６個のＭＲＩ画像を得る段階であって、前記２５６個のＭＲＩ画像を得る間、データ収集シグナルのためのアナログデジタル・コンバーターが、オン（ＯＮ）の状態を維持する段階；及び
前記２５６個のＭＲＩ画像を得た後、前記２５６個のＭＲＩ画像に対して、画像獲得の順序とは逆順でカーブフィッティングを行う段階を含む、ＭＲＩ画像を得る方法。
【請求項８】
前記励起ＲＦパルスを印加する段階と、前記２５６個のＭＲＩ画像を得る段階の間に、エコーナビゲーターを得る段階をさらに含む請求項１〜７のいずれか一項に記載のＭＲＩ画像を得る方法。
【請求項９】
前記２５６個のＭＲＩ画像は、エコーインデックスによって一連の２次元の画像が連続する疑似ｋ空間（ｐｓｅｕｄｏ  ｋ‐ｓｐａｃｅ）を構成する請求項１〜７のいずれか一項に記載のＭＲＩ画像を得る方法。
【誤訳訂正２】
【訂正対象書類名】明細書
【訂正対象項目名】発明の名称
【訂正方法】変更
【訂正の内容】
【発明の名称】エコープラナー法に基づくＴ２＊マッピングを用いた磁気共鳴画像を得る方法
【誤訳訂正３】
【訂正対象書類名】明細書
【訂正対象項目名】０００１
【訂正方法】変更
【訂正の内容】
【０００１】
本発明は、磁気共鳴画像（Ｍａｇｎｅｔｉｃ  Ｒｅｓｏｎａｎｃｅ  Ｉｍａｇｉｎｇ、ＭＲＩ）システムにおいて行われるイメージング法に関するもので、より具体的には、エコープラナー法（ＥＰＩ；Ｅｃｈｏ  Ｐｌａｎａｒ  Ｉｍａｇｉｎｇ）に基づくＴ２＊マッピング法を用いた磁気共鳴画像に関するものである。
【誤訳訂正４】
【訂正対象書類名】明細書
【訂正対象項目名】０００５
【訂正方法】変更
【訂正の内容】
【０００５】
しかし、前記ＥＰＩ法は、１回の立ち上がり時間（ＴＲ）内に、ｋ空間全体を充填するので、画像に幾何学的な歪みが発生し、ひずみ画像を得やすくなる。
さらに、前記ＥＰＩ法は、およそ１００ｍｓ以内に１つの画像データを取得するため、一般的な装置より、遥かに進歩したハードウェアを必要とする。すなわち、短期間内にデータをサンプリングするため、受信帯域幅を十分に広く拡張する必要があり、また、傾斜磁場の最大振幅を大きくしなければならず、一般的に、１０ｍＴ／ｓ以上の強い傾斜磁場が必要である。さらに、いかに強い傾斜磁場が印加されても、最大振幅までの立ち上がり時間が長いと、画像を速く得ることができないため、短期間内に最大振幅に対する傾斜磁場を向上させるためには、およそ２００〜２５０Ｔ／ｍｓのスルーレート（ｓｌｅｗ  ｒａｔｅ）傾斜磁場装置が必要である。さらに、ＥＰＩ法では、前記データが非常に速く発生するため、高速でサンプリングが可能な高速受信装置が必要となり、また、短時間内に多量のデータを処理しなければならないため、十分な量のＲＡＭが必要である。
【誤訳訂正５】
【訂正対象書類名】明細書
【訂正対象項目名】０００７
【訂正方法】変更
【訂正の内容】
【０００７】
Ｔ２＊マッピングを行うための画像の取得に主に使用されるマルチ−エコー・傾斜−エコー（Ｍｕｌｔｉ−ｅｃｈｏ  ｇｒａｄｉｅｎｔ−ｅｃｈｏ）のパルスシークエンスは、長時間のスキャンを要し、また、商品化されたシークエンスは、エコー数、メモリ容量（最大１２個）及びフィッティング関数（Ｆｉｔｔｉｎｇ  ｆｕｎｃｔｉｏｎ）の依存性を含む制限を持つ。
【誤訳訂正６】
【訂正対象書類名】明細書
【訂正対象項目名】００１１
【訂正方法】変更
【訂正の内容】
【００１１】
本発明の一態様によると、励起ＲＦパルスの印加する段階；前記ＲＦパルスの印加後に続く複数の異なるエコー時間に複数のＭＲＩ画像を得る段階；及び前記複数のＭＲＩ画像に対してフリップされたカーブフィッティングを行う段階を含む磁気共鳴画像システムを用いた画像を得る方法を提供する。
【誤訳訂正７】
【訂正対象書類名】明細書
【訂正対象項目名】００２８
【訂正方法】変更
【訂正の内容】
【００２８】
図５は、図３の各ＲＯＩに関する本発明の実施例の方法によってフリップされた本来のデータのフィットされた曲線を示す。
オフライン再構成及び曲線フィッティング過程は、Ｍａｔｌａｂ（Ｍａｔｈｗｏｒｋｓ）を用いて行われた。図５に示すように、再構成された画像は、フリップされた単一指数フィット（Ｆｌｉｐｐｅｄ  ｍｏｎｏｅｘｐｏｎｅｎｔｉａｌ  ｆｉｔ）を示し、実際のＴ２＊値を示すためにより適切、かつ正確である。
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
水性農薬組成物の噴霧特性を改善するためのアジュバント組成物であって、
（ａ）少なくとも１つの脂肪沈着制御剤（ここで、当該脂肪沈着制御剤は、１つ以上の脂肪アルカン、脂肪アミン、脂肪酸、脂肪アミド、脂肪酸グリセリド、脂肪酸トリグリセリド、脂肪酸エステル、又はこれらの混合物を含む）、及び
（ｂ）（ｉｉ）液状媒体、１つ以上のヒドロトロープ、及び、場合によっては１つ以上の界面活性剤、又は
（ｂ）（ｉｉ）１つ以上の界面活性剤、場合によっては１つ以上のヒドロトロープ又は液状媒体
を含み、水性溶液中への希釈時に安定なエマルションを形成する、アジュバント組成物。
【請求項２】
少なくとも１つの脂肪沈着制御剤及び少なくとも１つの界面活性剤を含む、請求項１に記載の組成物。
【請求項３】
組成物が：
（ａ）１つ以上の脂肪酸（ここで、当該脂肪酸は、好ましくは、オレイン酸、リノール酸、トール油脂肪酸又はそれらの混合物を含む）を含む、少なくとも１つの脂肪沈着制御剤、及び
（ｂ）（ｉｉ）少なくとも１つの界面活性剤
を含む、請求項１に記載の組成物。
【請求項４】
（ａ）少なくとも１つの脂肪沈着制御剤が１つ以上の脂肪酸（ここで、当該脂肪酸は、好ましくは、オレイン酸、リノール酸、トール油脂肪酸又はそれらの混合物を含む）を含み、
（ｂ）（ｉｉ）少なくとも１つの界面活性剤がポリアルコキシル化トリグリセリドを含む、請求項１に記載の組成物。
【請求項５】
（ａ）少なくとも１つの脂肪沈着制御剤が、１つ以上の脂肪酸トリグリセリド（ここで、当該１つ以上の脂肪酸トリグリセリドは、好ましくは、組成物の７０重量％から９９重量％の範囲の量で存在する）を含み、
（ｂ）（ｉｉ）少なくとも１つの界面活性剤が、ポリアルコキシル化トリグリセリド、脂肪酸グリコールエステル界面活性剤、又はそれらの組み合わせを含む、請求項１に記載の組成物。
【請求項６】
組成物が：
（ａ）好ましくはラウリン酸のメチルエステルである１つ以上の脂肪酸エステルを含む、少なくとも１つの脂肪沈着制御剤、及び
（ｂ）（ｉｉ）アルコキシル化アルコール界面活性剤から選択される、１つ以上の界面活性剤を含む、請求項１に記載の組成物。
【請求項７】
濃縮された農薬組成物であって、
水性液状媒体、
１つ以上の農薬化合物、及び
少なくとも１つの脂肪沈着制御剤であって、当該濃縮された農薬組成物が希釈されて噴霧適用されたときに、当該少なくとも１つの脂肪沈着制御剤を欠く希釈されて噴霧適用される類似の農薬組成物に比べて改善された沈着制御を提供するのに有効な量の脂肪沈着制御剤
を含み、水で希釈すると安定なエマルションを形成する均質な液体である、濃縮された農薬組成物。
【請求項８】
脂肪沈着制御剤が脂肪酸であり、組成物が界面活性剤を含まない、請求項７に記載の濃縮された農薬組成物。
【請求項９】
ポリアルコキシル化トリグリセリド、脂肪酸グリコールエステル界面活性剤、又はそれらの組合せから選択される、少なくとも１つの界面活性剤を更に含み、前記少なくとも１つの脂肪沈着制御剤が、好ましくは、脂肪酸、脂肪酸トリグリセリド若しくはそれらの組合せを含むか、又は、好ましくは、脂肪アミン、脂肪アミド若しくはそれらの混合物を含む、請求項７に記載の濃縮された農薬組成物。
【請求項１０】
農薬が、グリホサート、その水溶性の塩及びエステル、及びこれらの混合物から選択される１つ以上の除草剤化合物を含む、請求項７に記載の濃縮された農薬組成物。
【請求項１１】
脂肪沈着制御剤が、１つ以上の脂肪アルカン、脂肪アミン、脂肪酸、脂肪酸グリセリド、脂肪酸トリグリセリド、又はそれらの混合物を含む、ただし、農薬が、グリホサート又はグリホサートの水溶性の塩又はエステル及び１つ以上のオーキシン系除草剤を含む混合物である場合、脂肪沈着制御剤が式（Ｉ）：
2016508116.tif 000001
（上式中：
Ａが、−Ｎ（Ｒ２）Ｒ３であり、
Ｒ１が直鎖状又は分枝状（Ｃ１２−Ｃ１８）アルキルであり、
Ｒ２及びＲ３が、それぞれ独立して、（Ｃ１−Ｃ６）アルキルであり、且つ
ｎが１である）
に記載の脂肪アミン化合物ではない、請求項７に記載の濃縮された農薬組成物。
【請求項１２】
噴霧適用時の水性農薬組成物の沈着制御を改善するための方法であって、当該方法は、
アジュバント組成物に水性農薬組成物を接触させること
を含み、当該アジュバント組成物は、
（ａ）少なくとも１つの脂肪沈着制御剤、及び
（ｂ）（ｉｉ）液状媒体、１つ以上のヒドロトロープ、及び、場合によっては１つ以上の界面活性剤、又は
（ｂ）（ｉｉ）１つ以上の界面活性剤、場合によっては１つ以上のヒドロトロープ又は液状媒体
を含み、且つ、当該アジュバント組成物は、農薬組成物中への希釈時に安定なエマルションを形成し、当該方法はさらに、
水性農薬組成物及びアジュバント組成物を、標的害虫及び／又は標的害虫の環境に対して噴霧適用すること
を含み、噴霧適用される水性農薬組成物は、アジュバント組成物を欠く噴霧適用される類似の水性農薬組成物に比べて改善された沈着制御を示す、方法。
【請求項１３】
アジュバント組成物が、好ましくは１つ以上の脂肪酸（ここで、当該脂肪酸は、より好ましくは、オレイン酸、リノール酸、トール油脂肪酸又はそれらの混合物を含む）を含む少なくとも１つの脂肪沈着制御剤、及び、脂肪沈着制御剤が、１つ以上の脂肪酸を含む場合、好ましくはポリアルコキシル化トリグリセリドから選択される少なくとも１つの界面活性剤を含む、請求項１２に記載の方法。
【請求項１４】
農薬がグリホサート、その水溶性の塩及びエステル、及びそれらの混合物から選択される１つ以上の除草剤化合物を含む、請求項１２に記載の方法。
【請求項１５】
脂肪沈着制御剤が１つ以上の脂肪アルカン、脂肪アミン、脂肪酸、脂肪アミド、脂肪酸グリセリド、脂肪酸トリグリセリド、脂肪酸エステル、又はこれらの混合物を含む、請求項１２に記載の方法。
【請求項１６】
脂肪沈着制御剤が１つ以上の脂肪酸トリグリセリドを含み、且つ、少なくとも１つの界面活性剤が存在し、ポリアルコキシル化トリグリセリド、脂肪酸グリコールエステル界面活性剤、又はそれらの組合せから選択され、且つ、１つ以上の脂肪酸トリグリセリドが、好ましくは、アジュバント組成物の７０重量％から９９重量％の範囲の量で存在する、請求項１２に記載の方法。
【請求項１７】
脂肪沈着制御剤が、１つ以上の脂肪アルカン、脂肪アミン、脂肪酸、脂肪アミド、脂肪酸グリセリド、脂肪酸トリグリセリド、脂肪酸エステル、又はこれらの混合物を含む、ただし、農薬が、グリホサート又はグリホサートの水溶性の塩又はエステル及び１つ以上のオーキシン系除草剤を含む混合物である場合、脂肪沈着制御剤は、式（Ｉ）：
2016508116.tif 000002
（上式中：
Ａが−Ｎ（Ｒ２）Ｒ３であり、
Ｒ１が直鎖状又は分枝状（Ｃ１２−Ｃ１８）アルキルであり、
Ｒ２及びＲ３がそれぞれ独立して、（Ｃ１−Ｃ６）アルキルであり、且つ
ｎが１である）
に記載の脂肪アミン化合物ではない、請求項１２に記載の方法。
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
赤血球を保存するための方法であって、次のステップ：
ａ．赤血球濃厚液を得ること；
ｂ．環境中に自然に存在するよりも高い濃度でキセノンを含むガス系に、赤血球濃厚液をさらすこと；及び、
ｃ．赤血球濃厚液の凍結温度よりも高く３０℃までの温度で、前記ガス系にさらされた前記赤血球濃厚液を維持すること、
を含む方法。
【請求項２】
前記ガス系が、キセノンを６５体積％〜１００体積％、及び、少なくとも一つのバラストガス０体積％〜３５体積％を含有し、当該バラストガスは、窒素、キセノン以外の希ガス及び二酸化炭素からなる群から選択される１又は複数のガスを含んでいる、
請求項１に記載の方法。
【請求項３】
前記ガス系が、５体積％未満の酸素を含有する、
請求項１又は２に記載の方法。
【請求項４】
さらに、前記ガス系を前記赤血球濃厚液に添加する前に、赤血球濃厚液から７０−１００％の酸素を除去するステップを含む、
請求項１〜３のいずれか１項に記載の方法。
【請求項５】
前記酸素を除去するステップが真空環境で行われる、請求項４に記載の方法。
【請求項６】
前記ガス系が、前記赤血球濃厚液に、１−１０ａｔｍの圧力で添加される、
請求項１〜５のいずれか１項に記載の方法。
【請求項７】
前記ガス系が、前記赤血球濃厚液に、１ａｔｍより高い圧力で添加される、
請求項６に記載の方法。
【請求項８】
前記維持ステップが４２日にわたる、
請求項１〜７のいずれか１項に記載の方法。
【請求項９】
前記赤血球濃厚液が容器に収容されており、当該容器はDEHP可塑剤を含まない、
請求項１〜８のいずれか１項に記載の方法。
【請求項１０】
さらに、
ａ）前記ガス系を前記赤血球濃厚液に添加する前に、
ｂ）前記ガス系の前記赤血球濃厚液への前記添加の間に、
ｃ）前記ガス系の前記赤血球濃厚液への前記添加の後に、
又は、これらを組み合わせて、
容器中の前記赤血球濃厚液を撹拌するステップを含む、
請求項１〜９のいずれか１項に記載の方法。
【請求項１１】
前記ガス系が前記赤血球濃厚液に導入される時の前記赤血球濃厚液の温度が、当該赤血球濃厚液の凍結温度より高く２３℃を超えない、
請求項１〜１０のいずれか１項に記載の方法。
【請求項１２】
さらに、前記ガス系を添加した後、前記赤血球濃厚液を、前記赤血球濃厚液の凍結温度より高く６℃を超えない温度まで冷却するステップを含む、
請求項１〜１１のいずれか１項に記載の方法。
【請求項１３】
前記容器の少なくとも一部分が前記ガス系を透過可能であり、前記ガス系は、前記容器から、前記容器を通る拡散によって導入及び除去される、
請求項９〜１２のいずれか１項に記載の方法。
【請求項１４】
前記容器が、前記ガス系を透過可能なカバーを備えた密封器体中に置かれており、前記器体は前記ガス系を透過不能である、
請求項１３に記載の方法。
【請求項１５】
前記容器内の前記赤血球濃厚液が、前記ガス系中に、前記容器が前記密封器体内に置かれている間は追加の前記ガス系を送入されることなく１ａｔｍより高い圧力下に保持され、また、赤血球濃厚液の冷却は、前記密封されたチャンバー内でのガス系の圧力の安定化の瞬間から始められ、当該安定化は、赤血球濃厚液が前記ガス系で飽和することから生じるものである、
請求項１４に記載の方法。
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
物品の形成方法において、
ガラスシート結合表面を有するガラスシートを得るステップと、
キャリア結合表面を有するガラスキャリアを得るステップと、
前記ガラスシート結合表面および前記キャリア結合表面の少なくとも一方を表面変性層でコーティングするステップと、
前記表面変性層を介して前記ガラスシートを前記キャリアと連結させるステップと、
前記ガラスシートおよび前記キャリアのそれぞれにおいて前記結合表面の一部分を曝露させるように、連結されながらも、前記ガラスシートおよび前記キャリアの周辺部から、前記表面変性層の一部分を除去するステップであって、前記ガラスシート結合表面の前記曝露された部分が、前記キャリア結合表面の前記曝露された部分に隣接するものであるステップと、
前記除去および曝露ステップの後、前記ガラスシート結合表面の前記周辺部を、前記キャリア結合表面の前記周辺部と結合させるように、前記ガラスシートおよびキャリアを、４００℃以上であるが、前記ガラスシートのガラスおよび前記キャリアのガラスの両方の歪点未満の温度で加熱するステップと
を有してなる方法。
【請求項２】
前記ガラスシート結合表面が前記キャリア結合表面の面積に等しい面積を有することを特徴とする、請求項１に記載の方法。
【請求項３】
前記除去ステップが、真空チャンバー中で、Ｏ２プラズマによって、前記キャリアに連結された前記ガラスシートを処理するステップを含むことを特徴とする、請求項１または２に記載の方法。
【請求項４】
コーティングステップの前に、前記ガラスシート結合表面および前記キャリア結合表面の少なくとも一方が、以下：ＵＶ−オゾン、Ｏ２プラズマ、ＤＩ−Ｏ３水、ＳＣ１、ＳＣ２、ＨＦを含む洗浄化学、またはＨ２ＳＯ４を含む洗浄化学の１種以上によって洗浄されることを特徴とする、請求項１〜３のいずれか一項に記載の方法。
【請求項５】
前記表面変性層が、アルキルシラン、フルオロアルキルシラン、芳香族シラン、フルオロもしくはクロロ芳香族シラン、またはＨＭＤＳを含んでなることを特徴とする、請求項１〜４のいずれか一項に記載の方法。
【請求項６】
前記表面変性層が厚さ０．１〜１００ｎｍであることを特徴とする、請求項１〜５のいずれか一項に記載の方法。
【請求項７】
ガラスシート結合表面を有するガラスシートと、
キャリア結合表面を有するガラスキャリアと、
前記ガラスシート結合表面および前記キャリア結合表面の少なくとも一方において配置された表面変性層と
を含んでなるガラス物品において、前記ガラスシートおよびキャリアは、前記表面変性層を介して連結され、前記ガラスシート結合表面の周辺部は前記キャリアに固定され、それによって、前記ガラスシートおよびキャリアは、固定された周辺部においてモノリスとして作用することを特徴とする、ガラス物品。
【請求項８】
前記キャリア結合表面の周辺部が、前記表面変性層によってコーティングされずに残存し、前記ガラスシート結合表面の周辺部が、前記表面変性層によってコーティングされずに残存し、前記キャリア結合表面の前記コーティングされていない周辺部が、前記ガラスシート結合表面の前記コーティングされていない周辺部に固定されていることを特徴とする、請求項７に記載のガラス物品。
【請求項９】
前記表面変性層が、アルキルシラン、フルオロアルキルシラン、芳香族シランまたはフルオロもしくはクロロ芳香族シランを含んでなることを特徴とする、請求項７または８に記載のガラス物品。
【請求項１０】
前記表面変性層がＨＭＤＳを含んでなることを特徴とする、請求項７〜９のいずれか一項に記載のガラス物品。
【請求項１１】
前記表面変性層が厚さ０．１〜１００．０ｎｍであることを特徴とする、請求項７〜１０のいずれか一項に記載のガラス物品。
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
Ｘ線的にアモルファスであり；１０ｎｍより小さい直径を有する細孔の累積細孔容積が少なくとも０．０１８ｃｍ３/ｇであることにより特徴付けられる、炭酸マグネシウム。
【請求項２】
炭酸マグネシウムが、Ｎ２収着等温線から得られるＢＥＴ比表面積が６０ｍ２/ｇ〜１５００ｍ２/ｇであることにより特徴付けられる、請求項１に記載の炭酸マグネシウム。
【請求項３】
炭酸マグネシウムが、Ｎ２収着等温線から得られるＢＥＴ比表面積が２４０ｍ２/ｇ〜１５００ｍ２/ｇであることにより特徴付けられる、請求項２に記載の炭酸マグネシウム。
【請求項４】
１０ｎｍより小さい直径を有する細孔の累積細孔容積が、０．０１８ｃｍ３/ｇ〜３．０ｃｍ３/ｇである請求項１〜３のいずれか１項に記載の炭酸マグネシウム。
【請求項５】
１０ｎｍより小さい直径を有する細孔の累積細孔容積が、０．０１８ｃｍ３/ｇ〜１．５ｃｍ３/ｇである請求項４に記載の炭酸マグネシウム。
【請求項６】
炭酸マグネシウムが、室温、ＲＨ３％で、０．３mmol水/ｇ材料より多く吸着することにより特徴付けられる、請求項１〜５のいずれか１項に記載の炭酸マグネシウム。
【請求項７】
炭酸マグネシウムが、室温、ＲＨ９０％で、１４mmol水/ｇ材料より多く吸着することにより特徴付けられる、請求項６に記載の炭酸マグネシウム。
【請求項８】
請求項１〜７のいずれか１項に記載の炭酸マグネシウムを含む乾燥剤。
【請求項９】
請求項１〜７のいずれか１項に記載の炭酸マグネシウムを含む粉末、ペレットまたは膜。
【請求項１０】
請求項１〜７のいずれか１項に記載の炭酸マグネシウムを含む食品、化学品、化粧品または薬剤への添加剤。
【請求項１１】
請求項１〜７のいずれか１項に記載の炭酸マグネシウムを含む化粧品または薬剤の賦形剤。
【請求項１２】
ＭｇＯをＣＯ２雰囲気でアルコールと反応させることを含み、ここで圧力は大気圧より高く、そして温度は４０℃〜アルコールの沸点温度である、炭酸マグネシウムの製造方法。
【請求項１３】
圧力は、大気圧より１〜３bar高い請求項１２に記載の方法。
【請求項１４】
得られた炭酸マグネシウムは請求項１〜７のいずれか１項に記載の炭酸マグネシウムであることにより特徴付けられる、請求項１２又は１３に記載の方法。
【請求項１５】
少なくとも１つのＭｇに基づく中間体と反応するＣＯ２は大気圧より１〜１２bar高い圧力であり、乾燥することが、６０〜３００℃の温度で実施される、請求項１２〜１４のいずれか１項に記載の方法。
【請求項１６】
次の段階：
ＭｇＯとアルコール含有液体を反応器内で混合し、ＣＯ２と相互作用し得る、少なくとも１つのＭｇに基づく中間体を生成させること；
少なくとも１つのＭｇに基づく中間体をＣＯ２と反応させることにより炭酸化された中間体生成物を生成させること、ここでその炭酸化された中間体生成物は液体またはゲルであり；ならびに
その液体またはゲルである炭酸化された中間体生成物を乾燥することにより炭酸マグネシウムに変換すること、を含み、
炭酸マグネシウムは請求項１〜７のいずれか１項に記載の炭酸マグネシウムであり；
その少なくとも１つのＭｇに基づく中間体と反応するＣＯ２は大気圧より０．００１〜２００bar高い圧力であり；ならびに
混合することが、４０℃〜アルコール含有液体の沸点温度である温度で実施され；
乾燥することが、３５０℃より低い温度で実施される、
ことにより特徴付けられる、炭酸マグネシウムの製造方法。
【請求項１７】
炭酸化された中間体生成物を生成させることが、５０℃未満の温度および大気圧より高い圧力で実施される、請求項１６に記載の方法。
【請求項１８】
圧力が大気圧より５bar未満高い、請求項１６又は１７に記載の方法。
【請求項１９】
大量の材料中の水分含量の調節方法であり、その材料を請求項１〜７のいずれか１項に記載の炭酸マグネシウムにさらすことを含む水分含量の調節方法。
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
以下の構造を有する式Ｉａ：
2016508134.tif 000001
の化合物またはその薬学的に受容可能な塩。
【請求項２】
請求項１に記載の化合物またはその薬学的に受容可能な塩、および薬学的に受容可能なキャリア、希釈剤または賦形剤を含有する、薬学的組成物。
【請求項３】
１種または１種より多くのさらなる治療剤をさらに含有する、請求項２に記載の薬学的組成物。
【請求項４】
前記１種または１種より多くのさらなる治療剤は、抗ＨＩＶ剤である、請求項３に記載の薬学的組成物。
【請求項５】
前記１種または１種より多くのさらなる治療剤は、ＨＩＶプロテアーゼ阻害剤、逆転写酵素のＨＩＶ非ヌクレオシド阻害剤、逆転写酵素のＨＩＶヌクレオシド阻害剤、逆転写酵素のＨＩＶヌクレオチド阻害剤、およびこれらの組み合わせからなる群より選択される、請求項４に記載の薬学的組成物。
【請求項６】
ＨＩＶ感染を有するか、またはＨＩＶ感染を有する危険があるヒトにおいて、ＨＩＶ感染を処置する方法に使用するための、請求項１に記載の化合物またはその薬学的に受容可能な塩。
【請求項７】
ＨＩＶ感染を有するか、またはＨＩＶ感染を有する危険があるヒトにおいて、ＨＩＶ感染を処置する方法に使用するための、請求項２〜５のいずれか１項に記載の薬学的組成物。
【請求項８】
医学治療において使用するための、請求項１に記載の化合物またはその薬学的に受容可能な塩。
【請求項９】
医学治療において使用するための、請求項２〜５のいずれか１項に記載の薬学的組成物。
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
（ａ）式（Ｉ）で表される第１のモノマーと、
（ｂ）エチレン性不飽和基を有する第２のモノマーと、を含む重合性材料の反応生成物を含む共重合（メタ）アクリル系エラストマー材料を含む、感圧性接着剤。
Ｒ１−Ｏ−（ＣＯ）−Ｙ−Ｏ−（ＣＯ）−Ｃ（Ｒ３）＝ＣＨ２
（Ｉ）
［式中、Ｒ１は、アルキル、アリール又はこれらの組み合わせであり、Ｙは、式：−Ｃｎ（Ｒ２）２ｎ−（式中、Ｒ２は、水素又はアルキルであり、ｎは、１〜１２の範囲の整数である）で表される分枝鎖又は直鎖アルキレンであり、Ｒ３は、水素又はメチルである。］
【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
式（Ｌｕ１−ｘ−ｙＡｘＣｅｙ）３ＢｚＡｌ５Ｏ１２Ｃ２ｚを有する、セリウム賦活された黄緑〜黄色発光ルテチウムアルミネート系蛍光体であって、
ＡはＳｃ、Ｌａ、ＧａおよびＴｂの少なくとも１つであり、
ＢはＭｇ、Ｓｒ、ＣａおよびＢａの少なくとも１つであり、
ＣはＦ、Ｃｌ、ＢｒおよびＩの少なくとも１つであり、
０＜ｘ＜０．５であり、
０．００１≦ｙ＜０．２であり、
０．００１≦ｚ≦０．５である、黄緑〜黄色発光ルテチウムアルミネート系蛍光体。
【請求項２】
ｙはゼロより大きく、ｘ＋ｙ＜１である、請求項１に記載の黄緑〜黄色発光ルテチウムアルミネート系蛍光体。
【請求項３】
Ｃは置換的に結晶に含まれる、請求項１または２に記載の黄緑〜黄色発光ルテチウムアルミネート系蛍光体。
【請求項４】
Ｃは結晶格子間に含まれる、請求項１または２に記載の黄緑〜黄色発光ルテチウムアルミネート系蛍光体。
【請求項５】
ＡはＧｄおよびＴｂの少なくとも１つである、請求項１〜４のいずれか一項に記載の黄緑〜黄色発光ルテチウムアルミネート系蛍光体。
【請求項６】
ＡはＴｂである、請求項１〜５のいずれか一項に記載の黄緑〜黄色発光ルテチウムアルミネート系蛍光体。
【請求項７】
ＢはＳｒおよびＢａの少なくとも１つであり、
ＣはＦである、請求項１〜６のいずれか一項に記載の黄緑〜黄色発光ルテチウムアルミネート系蛍光体。
【請求項８】
前記蛍光体は、３８０ｎｍから４８０ｎｍの範囲の波長を有する励起放射光を吸収し、かつ５５０ｎｍから５６５ｎｍの範囲のピーク発光波長を有する光を発するように構成されている、請求項１〜７のいずれか一項に記載の黄緑〜黄色発光ルテチウムアルミネート系蛍光体。
【請求項９】
白色光照明システムであって、
２００ｎｍから４８０ｎｍの範囲内の発光波長を有する励起源と、
赤色発光蛍光体および緑色発光蛍光体の少なくとも一方と、
請求項１〜８のいずれか一項に記載のセリウム賦活された黄緑色〜黄色発光ルテチウムアルミネート系蛍光体と、を備える、白色光照明システム。
【請求項１０】
前記赤色発光蛍光体が６００ｎｍから６６０ｎｍの範囲内の発光波長を有する、請求項９に記載の白色光照明システム。
【請求項１１】
前記緑色発光蛍光体が５００ｎｍから５４５ｎｍの範囲内の発光波長を有する、請求項９または１０に記載の白色光照明システム。
【請求項１２】
前記赤色発光蛍光体が窒化物である、請求項９〜１１のいずれか一項に記載の白色光照明システム。
【請求項１３】
前記窒化物が、（Ｃａ，Ｓｒ）ＡｌＳｉＮ３：Ｅｕ２＋、（Ｃａ，Ｓｒ）２Ｎ５Ｎ８：Ｅｕ２＋、及び（Ｃａ，Ｓｒ）ＡｌＳｉ４Ｎ７：Ｅｕ２＋のうちの少なくとも１つである、請求項１２に記載の白色光照明システム。
【請求項１４】
前記緑色発光蛍光体がシリケートである、請求項９〜１３のいずれか一項に記載の白色光照明システム。
【請求項１５】
前記シリケートが式（Ｓｒ，Ｂａ，Ｍｇ）２ＳｉＯ４：Ｅｕ２＋を有する、請求項１４に記載の白色光照明システム。
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
化粧用及び/又は皮膚科用組成物であって、生理的に許容され得る媒体中において、組成物の全質量に対して少なくとも0.1質量%のヒアルロン酸又はその塩、組成物の全質量に対して0.1質量%のサリチル酸、及び少なくとも1種の親油性サリチル酸誘導体を含むことを特徴とする組成物。
【請求項２】
前記サリチル酸誘導体が、下記式(I)、
【化１】
2016508158.tif 000001
(I)
[式中、
R基は、2〜22個の炭素原子を含有する直鎖、分枝鎖又は環状の飽和脂肪族鎖; 2〜22個の炭素原子を含有し且つ共役であってもよい1つ以上の二重結合を含む不飽和鎖; 直接か又は2〜7個の炭素原子を含有する飽和又は不飽和脂肪鎖を介してカルボニル基に結合した芳香環を示し; 前記環及び鎖が1つ以上の置換基で置換されることが可能であり、その置換基は同じか又は異なってもよく、(a)ハロゲン原子、(b)トリフルオロメチル基、(c)遊離した形の又は1〜6個の炭素原子を含有する酸でエステル化されたヒドロキシル基、又は(d)遊離した形の又は1〜6個の炭素原子を含有する低級アルコールでエステル化されたカルボキシル官能基から選択され、
R'は、ヒドロキシル基又は下記式、
【化２】
2016508158.tif 000002
(式中、R1は、1〜18個の炭素原子を含有する直鎖又は分枝鎖の飽和又は不飽和脂肪族鎖を示す)
のエステル基であり、
及び無機又は有機の塩基から誘導されるその塩]
を有する請求項1に記載の組成物。
【請求項３】
前記サリチル酸誘導体が、式(I)、
(式中、
R基は、3〜11個の炭素原子を含有する直鎖、分枝鎖又は環状の飽和脂肪族鎖; 3〜17個の炭素原子を含有し且つ1つ以上の共役又は非共役二重結合を含む不飽和鎖を示し; 前記炭化水素ベースの鎖が1つ以上の置換基で置換されることが可能であり、その置換基は同じか又は異なってもよく、(a)ハロゲン原子、(b)トリフルオロメチル基、(c)遊離した形の又は1〜6個の炭素原子を含有する酸でエステル化されたヒドロキシル基、又は(d)遊離した形の又は1〜6個の炭素原子を含有する低級アルコールでエステル化されたカルボキシル官能基から選択され、 
R'は、ヒドロキシル基又は下記式、
【化３】
2016508158.tif 000003
(式中、R1は、基-(CH2)n-CH3を示し、ここで、nは0〜14の範囲にある数である)
のエステル基であり、
及び無機又は有機の塩基による塩化で得られるその塩]
を有する、請求項２に記載の組成物。
【請求項４】
前記サリチル酸誘導体が、5-n-オクタノイルサリチル酸である、請求項１に記載の組成物。
【請求項５】
前記サリチル酸誘導体が、前記組成物の全質量に対して少なくとも0.1質量%の割合で存在する、請求項１に記載の組成物。
【請求項６】
前記ヒアルロン酸が、組成物の全質量に対して0.1〜10質量%の割合で存在する、請求項１に記載の組成物。
【請求項７】
前記サリチル酸が、組成物の全質量に対して、0.1%〜5質量%の割合で存在する、請求項１に記載の組成物。
【請求項８】
前記サリチル酸誘導体が、組成物の全質量に対して、0.1%〜1質量%の割合で存在する、請求項１に記載の組成物。
【請求項９】
C2-C5低級アルコール又はポリオールも含む、請求項１に記載の組成物。
【請求項１０】
脂性肌の手入れをするための第2の活性剤も含む、請求項１に記載の組成物。
【請求項１１】
化粧用又は皮膚科用組成物における、スージング活性剤としての、サリチル酸及び/又はサリチル酸誘導体、好ましくは5-n-オクタノイルサリチル酸と組み合わせたヒアルロン酸又はその塩の使用。
【請求項１２】
刺激プロセスを低減させるために用いるための活性剤としての、サリチル酸及び/又はサリチル酸誘導体、好ましくは5-n-オクタノイルサリチル酸と組み合わせたヒアルロン酸又はその塩の使用。
【請求項１３】
脂性肌又はニキビのできやすい肌の治療用の化粧用及び/又は皮膚科用組成物のスージング作用を改善するために用いられる活性剤としての、サリチル酸及び/又は少なくとも１種のサリチル酸誘導体、好ましくは5-n-オクタノイルサリチル酸と組み合わせたヒアルロン酸又はその塩の使用。
【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
コンピュータによって実施される方法であって、
１以上のコンピューティング装置を用いて、グラフィカルユーザインタフェースと結び付けられた音源の、前記グラフィカルユーザインタフェース内の初期位置に対する変位を検出するステップと、
前記１以上のコンピューティング装置を用いて、前記音源の前記変位が前記グラフィカルユーザインタフェースの表示可能領域内で所定の第１閾値距離を越えているかどうかを判断するステップと、
前記１以上のコンピューティング装置を用いて、前記音源の前記変位が前記所定の第１閾値距離を越えているとの判断に応答して、前記音源と結び付けられたオーディオをオンするステップと、
前記１以上のコンピューティング装置を用いて、前記音源の前記変位が前記グラフィカルユーザインタフェースの前記表示可能領域内で所定の第２閾値距離を越えているかどうかを判断するステップと、
前記１以上のコンピューティング装置を用いて、前記音源の前記変位が前記所定の第２閾値距離を越えているとの判断に応答して、前記音源と結び付けられた前記オーディオをオフするステップと
を有する方法。
【請求項２】
前記変位が増大するにつれて前記オーディオのレベルを減少させることによって、前記オーディオのレベルを調整するステップをさらに有することを特徴とする、請求項１に記載の方法。
【請求項３】
前記音源が前記グラフィカルユーザインタフェースと結び付けられた第２の位置にあるかどうかを判断するステップをさらに有することを特徴とする、請求項１に記載の方法。
【請求項４】
少なくとも部分的に、前記第２の位置からの変位に基づき前記オーディオのレベルを調整するステップをさらに有することを特徴とする、請求項３に記載の方法。
【請求項５】
前記音源の前記変位は、少なくとも部分的に、スクロール操作に基づくことを特徴とする、請求項１に記載の方法。
【請求項６】
前記グラフィカルユーザインタフェースは、ソーシャルネットワークと結び付けられることを特徴とする、請求項１に記載の方法。
【請求項７】
前記音源の前記変位が第２の所定の閾値を越えた場合に前記音源を消音するステップをさらに有することを特徴とする、請求項１に記載の方法。
【請求項８】
プロセッサにより実行されたとき１以上の動作を実行する命令が記録されている、非一時的なコンピュータ読み取り可能媒体であって、
前記動作は、
１以上のコンピューティング装置を用いて、グラフィカルユーザインタフェースと結び付けられた音源の、前記グラフィカルユーザインタフェース内の初期位置に対する変位を検出するステップと、
前記１以上のコンピューティング装置を用いて、前記音源の前記変位が前記グラフィカルユーザインタフェースの表示可能領域内で所定の第１閾値距離を越えているかどうかを判断するステップと、
前記１以上のコンピューティング装置を用いて、前記音源の前記変位が前記所定の第１閾値距離を越えているとの判断に応答して、前記音源と結び付けられたオーディオをオンするステップと、
前記１以上のコンピューティング装置を用いて、前記音源の前記変位が前記グラフィカルユーザインタフェースの前記表示可能領域内で所定の第２閾値距離を越えているかどうかを判断するステップと、
前記１以上のコンピューティング装置を用いて、前記音源の前記変位が前記所定の第２閾値距離を越えているとの判断に応答して、前記音源と結び付けられた前記オーディオをオフするステップと
を含むことを特徴とする非一時的なコンピュータ読み取り可能媒体。
【請求項９】
前記動作は、
前記変位が増大するにつれて前記オーディオのレベルを減少させることによって、前記オーディオのレベルを調整するステップをさらに含むことを特徴とする、請求項８に記載の非一時的なコンピュータ読み取り可能媒体。
【請求項１０】
前記動作は、
前記音源が前記グラフィカルユーザインタフェースと結び付けられた第２の位置にあるかどうかを判断するステップをさらに含むことを特徴とする、請求項８に記載の非一時的なコンピュータ読み取り可能媒体。
【請求項１１】
前記動作は、
少なくとも部分的に、前記第２の位置からの変位に基づき前記オーディオのレベルを調整するステップをさらに含むことを特徴とする、請求項１０に記載の非一時的なコンピュータ読み取り可能媒体。
【請求項１２】
前記音源の前記変位は、少なくとも部分的に、スクロール操作に基づくことを特徴とする、請求項８に記載の非一時的なコンピュータ読み取り可能媒体。
【請求項１３】
前記グラフィカルユーザインタフェースは、ソーシャルネットワークと結び付けられることを特徴とする、請求項８に記載の非一時的なコンピュータ読み取り可能媒体。
【請求項１４】
前記動作は、
前記音源の前記変位が第２の所定の閾値を越えた場合に前記音源を消音するステップをさらに含むことを特徴とする、請求項８に記載の非一時的なコンピュータ読み取り可能媒体。
【請求項１５】
グラフィカルユーザインタフェースと結び付けられた音源の、前記グラフィカルユーザインタフェース内の初期位置に対する変位を検出し、
前記音源の前記変位が前記グラフィカルユーザインタフェースの表示可能領域内で所定の第１閾値距離を越えているかどうかを判断し、
前記音源の前記変位が前記所定の第１閾値距離を越えているとの判断に応答して、前記音源と結び付けられたオーディオをオンし、
前記音源の前記変位が前記グラフィカルユーザインタフェースの前記表示可能領域内で所定の第２閾値距離を越えているかどうかを判断し、
前記音源の前記変位が前記所定の第２閾値距離を越えているとの判断に応答して、前記音源と結び付けられた前記オーディオをオフするように構成された１以上のプロセッサ
を具備するコンピューティングシステム。
【請求項１６】
前記１以上のプロセッサは、前記変位が増大するにつれて前記オーディオのレベルを減少させることによって、前記オーディオのレベルを調整するようにさらに構成されることを特徴とする、請求項１５に記載のコンピューティングシステム。
【請求項１７】
前記１以上のプロセッサは、前記音源が前記グラフィカルユーザインタフェースと結び付けられた第２の位置にあるかどうかを判断するようにさらに構成されることを特徴とする、請求項１５に記載のコンピューティングシステム。
【請求項１８】
前記１以上のプロセッサは、少なくとも部分的に、前記第２の位置からの変位に基づき前記オーディオのレベルを調整するようにさらに構成されることを特徴とする、請求項１７に記載のコンピューティングシステム。
【請求項１９】
前記音源の前記変位は、少なくとも部分的に、スクロール操作に基づくことを特徴とする、請求項１５に記載のコンピューティングシステム。
【請求項２０】
前記グラフィカルユーザインタフェースは、ソーシャルネットワークと結び付けられることを特徴とする、請求項１５に記載のコンピューティングシステム。
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
集中管理サービスコンピューターを介して提供されるサービス指令に基づいて、義務的に取得されたデジタルコンテンツアイテムを、コンピューターの１つ又は複数のローカルストレージマシンのサービス制御部分に記憶するステップと、
前記コンピューターに対するユーザー入力を介して提供されるユーザー指令に基づいて、自発的に取得されたデジタルコンテンツアイテムを、前記コンピューターの前記１つ又は複数のローカルストレージマシンのユーザー制御部分に記憶するステップと、
前記集中管理サービスコンピューターを介して提供されるサービス指令に基づいて、前記義務的に取得されたデジタルコンテンツアイテムを、前記１つ又は複数のローカルストレージマシンの前記サービス制御部分から削除するステップであって、前記義務的に取得されたデジタルコンテンツアイテムは、ユーザー指令に基づいて前記サービス制御部分から削除することができない、ステップと、
ユーザー指令に基づいて、前記自発的に取得されたデジタルコンテンツアイテムを、前記１つ又は複数のローカルストレージマシンの前記ユーザー制御部分から削除するステップと、
複数のピースを含むデジタルコンテンツアイテムの部分を記憶する複数のソースを識別するステップであって、前記複数のソースが、前記サービス制御部分及びピアツーピア・ネットワークの１つ又は複数のピアコンピューターを含む、識別するステップと、
前記デジタルコンテンツアイテムの前記複数のピースのそれぞれのピース毎に、１つ又は複数のダウンロードメトリックに従って前記複数のソースから選択されるソースから前記ピースを前記ユーザー制御部分にダウンロードするステップであって、前記デジタルコンテンツアイテムの１つ又は複数のピースの第１の組が前記サービス制御部分からダウンロードされ、前記デジタルコンテンツアイテムの１つ又は複数のピースの第２の組が、コンピューターネットワークを介して前記ピアツーピア・ネットワークのピアコンピューターからダウンロードされ、前記第１の組は前記第２の組とは異なる、ステップと、
前記デジタルコンテンツアイテムを提示している間に、１つ又は複数のピースの前記第１の組及び１つ又は複数のピースの前記第２の組を前記ユーザー制御部分からコンピューター読み取りするステップと
を含む方法。
【請求項２】
前記デジタルコンテンツアイテムの前記ピースの所有を示す通知をコンピューターネットワークを介して前記集中管理サービスコンピューターに送るステップと、
前記デジタルコンテンツアイテムの前記ピースを提供する要求を受け取ることに基づいて、前記デジタルコンテンツアイテムの前記ピースを前記コンピューターネットワークを介して前記ピアツーピア・ネットワークのピアコンピューターにアップロードするステップと
をさらに含む、請求項１に記載の方法。
【請求項３】
前記デジタルコンテンツアイテムの指定されたピースを第１のソースから前記ユーザー制御部分にダウンロードする間に、１つ又は複数の安定性メトリックに従って前記第１のソースが不安定になることに基づいて、前記指定されたピースを第２のソースから前記ユーザー制御部分にダウンロードするステップであって、前記第２のソースが前記１つ又は複数のダウンロードメトリックに従って前記複数のソースから選択される、ダウンロードするステップ
をさらに含む、請求項１に記載の方法。
【請求項４】
前記１つ又は複数の安定性メトリックが、閾値ダウンロード速度、閾値資源レベル、閾値接続性中断数、閾値コスト、閾値ユーザーエクスペリエンス破壊レベル、及び閾値帯域幅のうちの１つ又は複数を含む、請求項３に記載の方法。
【請求項５】
前記１つ又は複数のダウンロードメトリックが、最も速いダウンロード速度、最低の取得コスト、最低の資源使用レベル、最低のエネルギー使用レベル、及び最低のユーザーエクスペリエンス破壊レベルのうちの１つ又は複数を含む、請求項１に記載の方法。
【請求項６】
前記デジタルコンテンツアイテムの異なるピースが異なるソースから並行してダウンロードされる、請求項１に記載の方法。
【請求項７】
前記コンピューターがゲームコンソールであり、前記デジタルコンテンツアイテムが、ゲーム、ゲーム名称更新、又はオペレーティングシステム更新である、請求項１に記載の方法。
【請求項８】
前記デジタルコンテンツアイテムの部分が、前記デジタルコンテンツアイテム全体がダウンロードされる前にインストールされ、前記方法が、
ユーザーによる前記デジタルコンテンツアイテムとの対話に基づいて、前記デジタルコンテンツアイテムのどのピースをダウンロードするかを決定するステップと、
ユーザーによる前記デジタルコンテンツアイテムとの対話に基づいて、前記デジタルコンテンツアイテムのピースのための前記ソースを選択するステップと
をさらに含む、請求項１に記載の方法。
【請求項９】
コンピューターであって、
論理マシンと、
サービス制御部分、及び
ユーザー制御部分
を含む１つ又は複数のローカルストレージマシンと
を備え、前記１つ又は複数のローカルストレージマシンは、
集中管理サービスコンピューターを介して提供されるサービス指令に基づいて、義務的に取得されたデジタルコンテンツアイテムを、前記サービス制御部分に記憶し、
前記コンピューターに対するユーザー入力を介して提供されるユーザー指令に基づいて、自発的に取得されたデジタルコンテンツアイテムを、前記ユーザー制御部分に記憶し、
前記集中管理サービスコンピューターを介して提供されるサービス指令に基づいて、前記義務的に取得されたデジタルコンテンツアイテムを、前記１つ又は複数のローカルストレージマシンの前記サービス制御部分から削除し、前記義務的に取得されたデジタルコンテンツアイテムは、ユーザー指令に基づいて前記サービス制御部分から削除することができず、
ユーザー指令に基づいて、前記自発的に取得されたデジタルコンテンツアイテムを、前記１つ又は複数のローカルストレージマシンの前記ユーザー制御部分から削除し、
複数のピースを含むデジタルコンテンツアイテムの部分を記憶し、前記サービス制御部分及びピアツーピア・ネットワークの１つ又は複数のピアコンピューターを含む、複数のソースを識別し、
前記デジタルコンテンツアイテムの前記複数のピースのそれぞれのピース毎に、１つ又は複数のダウンロードメトリックに従って前記複数のソースから選択されるソースからそのピースを前記ユーザー制御部分にダウンロードし、前記デジタルコンテンツアイテムの１つ又は複数のピースの第１の組が前記サービス制御部分から前記ユーザー制御部分にダウンロードされ、前記デジタルコンテンツアイテムの１つ又は複数のピースの第２の組が、コンピューターネットワークを介して前記ピアツーピア・ネットワークのピアコンピューターから前記ユーザー制御部分にダウンロードされ、前記第１の組は前記第２の組とは異なり、
前記デジタルコンテンツアイテムを提示している間に、前記複数のピースを前記ユーザー制御部分からコンピューター読み取りする、
ように前記論理マシンによって実行可能な命令を保持する、コンピューター。
【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
歩検出における振り補償の方法であって、
モバイルデバイスの移動を示す加速度データを取得するステップと、
前記加速度データの固有値を計算するステップであって、前記固有値の変化が前記モバイルデバイスの振り状態または振りのない状態を表す、ステップと、
前記加速度データの前記計算された固有値に基づいて、前記モバイルデバイスが前記モバイルデバイスのユーザの手の中で振れているかどうかを判断するステップと、
歩データを出力するステップであって、
前記加速度データ、および
前記モバイルデバイスが前記ユーザの前記手の中で振れているかどうかの前記判断
に基づいて、出力するステップと
を含む方法。
【請求項２】
前記モバイルデバイスがユーザの手の中で振れているかどうかを判断するステップが、前記加速度データがしきい値を超えるかどうかを判断するステップを含む、請求項1に記載の方法。
【請求項３】
前記しきい値が10m/s2から12m/s2の間である、請求項2に記載の方法。
【請求項４】
少なくとも1つの固有値がしきい値を超えるかどうかを判断するステップをさらに含む、請求項1に記載の方法。
【請求項５】
前記固有値の比率がしきい値を超えるかどうかを判断するステップをさらに含む、請求項1に記載の方法。
【請求項６】
前記モバイルデバイスがユーザの手の中で振れているかどうかを判断するステップが、前記加速度データの周波数解析を行うステップを含む、請求項1に記載の方法。
【請求項７】
前記周波数解析が自己相関を含む、または、前記周波数解析が、前記加速度データを仮定した名目歩速度と組み合わせるステップを含む、請求項6に記載の方法。
【請求項８】
前記周波数解析が、
前記加速度データから周波数を判断するステップと、
前記判断された周波数の2倍が既知の所定の歩速度範囲内であることを判断するステップと
を含む、請求項6に記載の方法。
【請求項９】
前記ユーザが歩を進めたかどうかの判断に関する確率を判断するステップをさらに含む、請求項1に記載の方法。
【請求項１０】
前記モバイルデバイスがユーザの手の中で振れているかどうかを判断するステップが、
重力の方向を推定するステップと、
重力の前記方向に対する前記モバイルデバイスの角度を判断するステップと、
前記角度がしきい値を超えるかどうかを判断するステップと
を含む、請求項1に記載の方法。
【請求項１１】
前記モバイルデバイスがユーザの手の中で振れているかどうかを判断するステップが、ジャイロスコープからのデータに少なくとも一部基づく、請求項1に記載の方法。
【請求項１２】
前記歩データを出力するステップが、検出された歩の数を出力するステップを含む、請求項1に記載の方法。
【請求項１３】
検出された歩の前記数が、前記モバイルデバイスが前記ユーザの前記手の中で振れているかどうかの前記判断に基づいて、変更される、および/または、前記歩データを出力するステップが、検出されない歩の数を出力するステップをさらに含む、および/または、前記歩データを出力するステップが、検出された歩の前記数に関連する確率を出力するステップをさらに含む、請求項12に記載の方法。
【請求項１４】
モバイルデバイスの移動を示す加速度データを取得するための手段と、
前記加速度データの固有値を計算するための手段であって、前記固有値の変化が前記モバイルデバイスの振り状態または振りのない状態を表す、手段と、
前記加速度データの前記計算された固有値に基づいて、前記モバイルデバイスが前記モバイルデバイスのユーザの手の中で振れているかどうかを判断するための手段と、
歩データを出力するための手段であって、
前記加速度データと、
前記モバイルデバイスが前記ユーザの前記手の中で振れているかどうかの前記判断と
に基づいて、出力するための手段と
を含むデバイス。
【請求項１５】
1つまたは複数のコンピューティングデバイスに請求項1から13のいずれか一項に記載の方法を実行させるために組み込まれた命令を含む、コンピュータ可読記憶媒体。
【手続補正書】
【提出日】平成28年2月16日(2016.2.16)
【手続補正１】
【補正対象書類名】明細書
【補正対象項目名】０００１
【補正方法】変更
【補正の内容】
【０００１】
本発明は、請求項１の前提部分に基づく方法及び請求項９の前提部分に基づく充填機械に関するものである。
【手続補正２】
【補正対象書類名】明細書
【補正対象項目名】０００５
【補正方法】変更
【補正の内容】
【０００５】
この課題を解決するために、方法が請求項１に対応して形成されている。充填機械は請求項９の対象である。
【手続補正３】
【補正対象書類名】図面
【補正対象項目名】図２
【補正方法】変更
【補正の内容】
【図２】
2016508934.tif 000001
【手続補正４】
【補正対象書類名】図面
【補正対象項目名】図５
【補正方法】変更
【補正の内容】
【図５】
2016508934.tif 000002